(57)【特許請求の範囲】
【請求項１】
記録媒体を駆動する記録媒体駆動装置であって、
前記記録媒体から再生信号を得るとともに、前記再生信号からトラバース信号を検出する再生手段と、
前記トラバース信号をホールドしてホールド信号を出力するホールド手段と、
前記ホールド信号に基づいて、前記トラバース信号を２値化する２値化手段と、
前記再生信号の欠陥を検出する欠陥検出手段と、
前記欠陥検出手段の出力に従って、前記ホールド信号を所定のレベルに設定するリセット手段と
を備えることを特徴とする記録媒体駆動装置。
【請求項２】
前記ホールド手段は、
前記トラバース信号をトップホールドしてトップホールド信号を出力するトップホールド手段と、
前記トラバース信号をボトムホールドしてボトムホールド信号を出力するボトムホールド手段と
を有し、
前記リセット手段は、前記トップホールド信号またはボトムホールド信号のうちの少なくとも一方を所定のレベルに設定する
ことを特徴とする請求項１に記載の記録媒体駆動装置。
【請求項３】
前記リセット手段は、
前記欠陥検出手段が前記再生信号の欠陥を検出した期間に亘り、前記ホールド信号を所定のレベルに設定する
ことを特徴とする請求項１に記載の記録媒体駆動装置。
【請求項４】
前記ボトムホールド手段は、
前記トラバース信号を入力し所定の増幅率で増幅して出力するオペアンプと、
前記オペアンプの出力信号の負の成分を通過させるダイオードと、
前記出力信号の負の成分を充電し最低電圧をホールドしてホールド信号を出力するコンデンサと
を有し、
前記リセット手段は、
前記欠陥検出手段が前記再生信号の欠陥を検出した期間に亘り前記ダイオードを短絡させ前記コンデンサを放電させて、前記ホールド信号を所定の信号レベルに設定する
ことを特徴とする請求項２に記載の記録媒体記録装置。
【請求項５】
前記ボトムホールド手段は、
前記トラバース信号を入力し所定の増幅率で増幅して出力するオペアンプと、
前記オペアンプの出力信号の負の成分を通過させるダイオードと、
前記出力信号の負の成分を充電し最低電圧をホールドしてホールド信号を出力するコンデンサと
を有し、
前記リセット手段は、
前記欠陥検出手段が前記再生信号の欠陥を検出した期間に亘り前記コンデンサを短絡させ放電させて、前記ホールド信号を所定の信号レベルに設定する
ことを特徴とする請求項２に記載の記録媒体記録装置。
【請求項６】
前記記録媒体は、光ディスクである
ことを特徴とする請求項１に記載の記録媒体駆動装置。
【請求項７】
記録媒体から再生信号を得るとともに、前記再生信号からトラバース信号を検出する再生ステップと、
前記トラバース信号をホールドしてホールド信号を出力するホールドステップと、
前記ホールド信号に基づいて、前記トラバース信号を２値化する２値化ステップとを有する記録媒体駆動装置の記録媒体駆動方法であって、
前記再生信号に欠陥があるかどうかを検出し、
前記再生信号に欠陥がある場合には、前記ホールド信号を所定のレベルに設定する
ことを特徴とする記録媒体駆動方法。
【発明の詳細な説明】
【０００１】
【発明の属する技術分野】
本発明は、記録媒体駆動装置および記録媒体駆動方法に関する。特に、例えば光ディスクの記録または再生を行う光ディスク装置などにおいて、所望のトラックに迅速にアクセスすることができるようにする記録媒体駆動装置および記録媒体駆動方法に関する。
【０００２】
【従来の技術】
例えば、光ディスクの再生を行う場合においては、光ピックアップが照射する光を横切ったトラックの本数を計測したり、また、トラッキングサーボの引込動作などを行うために、その再生信号から、ミラー信号が生成される。
【０００３】
即ち、図６（Ａ）は光ディスクの断面（例えば、その中心を通る半径方向の直線で、光ディスクを切断したとした場合の断面）を示しており、いま、同図（Ａ）に示すように、ピット（グルーブ）とランドとが交互に並んだ部分を、光ピックアップが照射した光（光スポット）が横切ったとする。この場合、光ディスクで反射された反射光を受光して得られる再生信号（ＲＦ信号）は、図６（Ｂ）に示すようになる。この再生信号には、ピットによる高い周波数成分（変調成分）と、ピットとランドとが交互に並んでいることによる低い周波数成分とが含まれており、図６（Ｃ）は、このうちの低い周波数成分（以下、適宜、トラバース信号という）を示している。
【０００４】
トラバース信号は、例えば、次のようにして再生信号から検出（分離）することができる。即ち、トラバース信号は、例えば、再生信号（図６（Ｂ））のエンベロープを検波したり、また、再生信号を低域通過フィルタでフィルタリングすることにより平均化することなどによって、再生信号から検出（分離）することができる。所定の手法により得たトラバース信号を、例えば所定の閾値により２値化することにより、図６（Ｄ）に示すような矩形波が得られるが、これがミラー信号であり、このミラー信号は、図６（Ａ）および図６（Ｄ）を比較してわかるように、ピットとランドの並びに対応したものとなる。
【０００５】
従って、ミラー信号は、上述したように、光ピックアップが照射する光を横切ったトラックの本数の計測や、トラッキングサーボの引込動作などを行うために利用することができる。
【０００６】
ところで、トラバース信号を２値化して、図６（Ｄ）に示したような、ピットとランドとに正確に対応したミラー信号を得るためには、トラバース信号の振幅が変化しても、その中心値（直流成分）を、常に、正確に認識している必要がある。そこで、図７に示すように、トラバース信号をトップホールドするとともにボトムホールドし、その結果得られるトップホールド信号とボトムホールド信号を加算して、１／２倍することが行われる。この結果得られる値（以下、適宜、中間値という）は、トラバース信号の振幅の中心値を表し、その振幅の変化に追従したものとなる。
【０００７】
以上のようにして得られた中間値を閾値として、トラバース信号との大小関係を判定することにより、図６（Ｄ）に示したような、トラバース信号に正確に同期したミラー信号を得ることができる。
【０００８】
図８は、従来の光ディスク装置の、上述したようなミラー信号の生成に関連する部分の一例の構成を示している。対物レンズ２は、光ピックアップ３が発する、例えばレーザビームを光ディスク１の情報記録面上に集光（結像）させるとともに、光ディスク１からの、そのレーザビームの反射光を透過し、光ピックアップ３に受光させるようになされている。光ピックアップ３は、レーザビームを発し、光ディスク１に照射するとともに、そのレーザビームの、光ディスク１からの反射光を受光し、その反射光を光電変換することで、電気信号としての再生信号（ＲＦ信号）を得るようになされている。この再生信号は、光ピックアップ３からトラバース信号弁別部４に供給されるようになされている。
【０００９】
トラバース信号弁別部４は、上述したようなエンベロープ検波や、低域通過フィルタを用いる方法によって、光ピックアップ３からの再生信号から、トラバース信号を分離（弁別）し、ホールド回路５Ａおよび５Ｂ、並びにコンパレータ８に出力するようになされている。ホールド回路５Ａまたは５Ｂは、トラバース信号弁別部４からのトラバース信号を、それぞれトップホールドまたはボトムホールドし、その結果得られるトップホールド信号またはボトムホールド信号を、加算器６に供給するようになされている。加算器６は、ホールド回路５Ａと５Ｂそれぞれから供給されるトップホールド信号とボトムホールド信号を加算し、その加算値を乗算器７に出力するようになされている。乗算器７は、加算器６から供給される加算値を１／２倍し、これにより、トラバース信号の中間値を求めて、コンパレータ８に出力するようになされている。コンパレータ８は、トラバース信号弁別部４から供給されるトラバース信号を、乗算器７から供給される中間値と比較し、トラバース信号が、中間値以上または中間値未満の期間において、例えば、それぞれＨまたはＬレベルを出力するようになされており、これにより、トラバース信号を２値化したミラー信号を出力するようになされている。
【００１０】
以上のように構成される光ディスク装置においては、光ピックアップ３が発するレーザビームが、対物レンズ２を介して、光ディスク１に照射される。光ディスク１では、そのレーザビームが反射され、その反射光は、対物レンズ２を介して、光ピックアップ３で受光される。光ピックアップ３は、光ディスク１からの反射光を光電変換し、その結果得られる再生信号を、トラバース信号弁別部４に出力する。トラバース信号弁別部４では、光ピックアップ３より供給された再生信号から、トラバース信号が分離され、ホールド回路５Ａおよび５Ｂ、並びにコンパレータ８に出力される。ホールド回路５Ａまたは５Ｂでは、トラバース信号弁別部４からのトラバース信号が、それぞれトップホールドまたはボトムホールドされ、トップホールド信号またはボトムホールド信号が、加算器６に出力される。加算器６では、トップホールド信号とボトムホールド信号とが加算され、乗算器７に出力される。乗算器７においては、加算器６の出力が１／２倍され、その結果得られるトラバース信号の中間値が、コンパレータ８に出力される。コンパレータ８では、トラバース信号弁別部４からのトラバース信号を、乗算器７から供給される中間値を閾値として２値化することによりミラー信号が生成されて出力される。このミラー信号は、図示せぬ信号処理回路やトラッキングサーボ系において、上述したように、光ピックアップ３が照射する光を横切ったトラックの本数を計測したり、トラッキングサーボの引込動作などを行うのに用いられる。
【００１１】
【発明が解決しようとする課題】
ところで、例えば、光ディスク１にある傷や、その他の原因で、光ピックアップ３が出力する再生信号のレベルが急変した場合（このような光ディスク１の損傷その他に起因する再生信号のレベルの急変を、以下、適宜、再生信号の欠陥（ディフェクト）という）、それに伴い、トラバース信号弁別部４が出力するトラバース信号のレベルも、例えば、図９に示すように急変する。
【００１２】
いま、同図にＡで示す信号がＨレベルになっている区間において再生信号に欠陥が生じており、これにより、トラバース信号のレベルが、急激に、例えば低下したとすると、ボトムホールド信号のレベルも、同様に、急激に低下する。そして、この場合、その後、再生信号が正常なものに戻っても、ボトムホールド信号は、トラバース信号に即座に追従せず、その結果、再生信号に欠陥が生じている期間だけでなく、その後の、同図においてＴで示す期間、正確なミラー信号を得ることができない課題があった。
【００１３】
即ち、ボトムホールドを行うホールド回路５Ｂ（ホールド回路５Ａも同様）においては、トラバース信号を所定の時間ホールドするために、通常、コンデンサが使用されるが、このコンデンサにおいては、再生信号に欠陥が生じることによりトラバース信号のレベルが低下すると、その低レベルがホールドされる。このようにコンデンサにおいて低レベルがホールドされると、その放電に時間を要するため、再生信号が正常なものに戻っても、その放電がある程度行われるまでは、ボトムホールド信号は、トラバース信号に対応したもの（トラバース信号の最小レベルをホールドしたもの）とはならず、従って、中間値も、トラバース信号の振幅の中心値を正確に表したものとはならず、その間、正確なミラー信号を得ることができない課題があった。
【００１４】
そして、この場合、光ディスク１の、例えば傷などのある部分だけでなく、その後の、図９においてＴで示す時間に対応する部分においても、正確なミラー信号が出力されないため、例えば、その間に横切ったトラックの本数の計測に誤りが生じ、希望するトラックへのアクセスに時間を要することとなる。
【００１５】
そこで、ホールド回路５Ｂの放電特性を改善し、即ち、コンデンサによる時定数を短く（小さく）し、これにより、コンデンサにおいてホールドされた低レベル（電荷）を、迅速に放電させる方法があるが、時定数を短くし過ぎると、コンデンサの電圧が、周波数の低いトラバース信号に追従するようになり、ボトムホールドを行うのが困難となる。
【００１６】
従って、時定数を変化させるのでは、正確なミラー信号を迅速に得ることと、ボトムホールドを正確に行うこととを両立させることは困難であった。
【００１７】
本発明は、このような状況に鑑みてなされたものであり、ホールド動作を正常に行うとともに、再生信号に欠陥が生じた場合に、その後、即座に、正確なミラー信号を得ることができるようにするものである。
【００１８】
【課題を解決するための手段】
本発明の記録媒体駆動装置は、記録媒体から再生信号を得るとともに、再生信号からトラバース信号を検出する再生手段と、トラバース信号をホールドしてホールド信号を出力するホールド手段と、ホールド信号に基づいて、トラバース信号を２値化する２値化手段と、再生信号の欠陥を検出する欠陥検出手段と、欠陥検出手段の出力に従って、ホールド信号を所定のレベルに設定するリセット手段とを備えることを特徴とする。
【００１９】
本発明の記録媒体駆動方法は、再生信号に欠陥があるかどうかを検出し、再生信号に欠陥がある場合には、ホールド信号を所定のレベルに設定することを特徴とする。
【００２０】
本発明の記録媒体駆動装置においては、再生信号の欠陥が検出され、その検出結果に従って、ホールド信号が所定のレベルに設定される。
【００２１】
本発明の記録媒体駆動方法においては、再生信号に欠陥があるかどうかが検出され、再生信号に欠陥がある場合には、ホールド信号が所定のレベルに設定される。
【００２２】
【発明の実施の形態】
図１は、本発明を適用した光ディスク装置の一実施例の構成を示している。なお、図中、図８における場合と対応する部分については、同一の符号を付してあり、以下では、その説明は、適宜省略する。即ち、この光ディスク装置は、ディフェクト検出回路１１が新たに設けられ、ホールド回路５Ｂがホールド電圧リセット回路１２を内蔵している他は、図８の光ディスク装置と同様に構成されている。
【００２３】
ディフェクト検出回路１１（欠陥検出手段）には、光ピックアップ３から再生信号が供給されるようになされており、ディフェクト検出回路１１は、再生信号の欠陥を検出し、その検出結果に対応するディフェクト信号を、ホールド電圧リセット回路１２に供給するようになされている。
【００２４】
即ち、例えば、光ディスク１などに傷があり、その部分の反射率が低下すると、その傷の部分から得られる再生信号（ＲＦ信号）のレベルは、図２に示すように低下する。そこで、ディフェクト検出回路１１は、再生信号と、所定の閾値ＴＨとを比較し、再生信号のレベルが、所定の閾値ＴＨ以下となっている区間において、同図に示すようにＨレベルを、ディフェクト信号として出力するようになされている。なお、ディフェクト検出回路１１は、その他の区間（再生信号のレベルが所定の閾値ＴＨより大きい区間）においては、Ｌレベルをディフェクト信号として出力するようになされている（このようなディフェクト信号は、従来の光ディスク装置においても種々の用途に用いられている）。
【００２５】
ホールド電圧リセット回路１２（リセット手段）は、ディフェクト検出回路１１からＨレベルのディフェクトを信号を受信すると、その間、ホールド回路５Ｂをリセットするようになされている。即ち、ホールド回路５Ｂは、後述するようにコンデンサＣ（図３、図５）を有しており、ホールド電圧リセット回路１２は、例えば、そのコンデンサＣを放電させることで、ホールド回路５Ｂをリセットするようになされている。
【００２６】
以上のように構成される光ディスク装置においては、ミラー信号が、図８における場合と同様にして生成される。即ち、光ピックアップ３（再生手段）から光ディスク１に対して、レーザビームが照射され、その反射光が光ピックアップ３で受光されて、再生信号が出力される。この再生信号は、トラバース信号弁別部４およびディフェクト検出回路１１に供給される。トラバース信号弁別部４（低周波数成分検出手段）では、光ピックアップ３より供給された再生信号から、トラバース信号が分離（検出）され、ホールド回路５Ａおよび５Ｂ、並びにコンパレータ８に出力される。ホールド回路５Ａ（ホールド手段）（トップホールド手段）または５Ｂ（ホールド手段）（ボトムホールド手段）では、トラバース信号が、それぞれトップホールドまたはボトムホールドされ、トップホールド信号またはボトムホールド信号が、加算器６に出力される。加算器６では、トップホールド信号とボトムホールド信号とが加算され、乗算器７に出力される。乗算器７においては、加算器６の出力が１／２倍され、その結果得られるトラバース信号の中間値が、コンパレータ８に出力される。コンパレータ８（２値化手段）では、トラバース信号弁別部４からのトラバース信号と、乗算器７から供給される中間値とが比較されることによりミラー信号が生成されて出力される。
【００２７】
一方、ディフェクト検出回路１１では、光ピックアップ３から供給される再生信号に欠陥があるかどうかが検出され、欠陥が検出された場合、Ｈレベルのディフェクト信号が、ホールド電圧リセット回路１２に供給される。ホールド電圧リセット回路１２では、Ｈレベルのディフェクトを信号を受信している間だけ、ホールド回路５Ｂがリセットされる。
【００２８】
次に、図３は、ホールド回路５Ｂおよびホールド電圧リセット回路１２の構成例を示している。ホールド回路５Ｂは、オペアンプＯＰ、ダイオードＤ、電流源Ｉ、およびコンデンサＣで構成され、ホールド電圧リセット回路１２は、スイッチＳＷで構成されている。
【００２９】
オペアンプＯＰの非反転入力端子には、トラバース信号が入力されるようになされており、その出力端子は、ダイオードＤのアノードと接続されている。ダイオードＤのカソードは、一方が、例えばグランドなどのインピーダンスの低いものに接続されたコンデンサの他端に接続され、このダイオードＤとコンデンサＣとの接続点ｘには、オペアンプＯＰの反転入力端子、および電流源Ｉの−端子が接続されている。なお、このダイオードＤとコンデンサＣとの接続点ｘの電圧が、ボトムホールド信号として出力されるようになされている。
【００３０】
そして、スイッチＳＷは、ダイオードＤを短絡するように接続されており、ディフェクト信号がＬまたはＨレベルのとき、それぞれオフまたはオンするようになされている。
【００３１】
以上のように構成されるホールド回路５Ｂおよびホールド電圧リセット回路１２では、オペアンプＯＰの非反転入力端子に入力されたトラバース信号に対応する交流電圧が、その出力端子から出力され、この交流電圧のうち、正の成分（増加方向の成分）がダイオードＤで遮断され、その結果、負の成分のみが、ダイオードＤを通過する。その結果、コンデンサＣでは、ダイオードＤを通過した負の電圧のうち最低電圧がホールドされ、これにより、トラバース信号がボトムホールドされる。
【００３２】
なお、コンデンサＣにおけるホールド時間は、電流源Ｉから流れる電流によるコンデンサＣの充電時間によって設定することができるようになされている。また、図３（後述する図５も同様）のように構成されるホールド回路５Ｂは、動作電圧により、その時定数が変化しにくいものとして一般的に知られている。
【００３３】
ディフェクト信号がＬレベルのときは、スイッチＳＷがオフになっているので、以上のようにして、トラバース信号がボトムホールドされるが、再生信号に欠陥が生じ、図４に示すように、トラバース信号のレベルが急激に低下すると、ディフェクト信号がＨレベルとなり、これにより、スイッチＳＷがオンになるので、コンデンサＣにチャージされた電荷が放電される（ホールド回路５Ｂがリセットされる）。
【００３４】
即ち、スイッチＳＷがオンになると、ダイオードＤが短絡、つまり、スイッチＳＷを介して電流が流れることが可能となるため、コンデンサＣの点ｘ側の電圧が、オペアンプＯＰの出力端子に逃げる（オペアンプＯＰが出力する電流が、コンデンサＣに流れ込む）ことにより、結果的に、コンデンサＣの放電（リセット）が行われる。
【００３５】
その結果、ディフェクト信号がＨレベルの間は、ホールド回路５Ｂにおいてボトムホールドは行われず、その出力レベル（ボトムホールド信号）は、同図において点線で囲んであるように、所定のレベルとなる。
【００３６】
その後、ディフェクト信号がＬレベルになると、スイッチＳＷはオフし、再び、上述したようにして、トラバース信号のボトムホールドが行われる。そして、この場合、ディフェクト信号がＬレベルになった直後においては、コンデンサＣは放電状態となっているので、図４に示すように、ホールド回路５Ｂからは、トラバース信号（トラバース信号の最低レベル）に正確に追従したボトムホールド信号が、即座に出力される。
【００３７】
従って、前述の図９に示したように、光ディスク１の傷などのある部分だけでなく、その後の所定の時間Ｔに対応する部分において、正確なミラー信号が出力されないようなことがなく、再生信号に欠陥がなくなってから、即座に、正確なトラバース信号の中間値、ひいてはミラー信号を得ることが可能となる（図４）。その結果、例えば、トラック本数の計測誤差は、光ディスク１の傷などがある部分についてしか生じなくなるので、従来における場合に比較して、希望するトラックに、より迅速にアクセスすることが可能となる。
【００３８】
次に、図５は、ホールド回路５Ｂおよびホールド電圧リセット回路１２の他の構成例を示している。なお、図中、図３における場合と対応する部分については、同一の符号を付してあり、以下では、その説明は、適宜省略する。即ち、このホールド回路５Ｂおよびホールド電圧リセット回路１２は、ダイオードＤを短絡するように設けられていたスイッチＳＷが、コンデンサＣを短絡するように設けられている他は、図３における場合と同様に構成されている。
【００３９】
スイッチＳＷは、その一端が、コンデンサＣの一旦と同様に、例えばグランドなどのインピーダンスの低いもの（低インピーダンス電源）に接続されており、その他端が、コンデンサＣとダイオードＤとの接続点ｘに接続されている。
【００４０】
このスイッチＳＷは、図３における場合と同様に、ディフェクト信号がＬまたはＨレベルのとき、それぞれオフまたはオンするようになされている。従って、再生信号に欠陥が生じた場合には、スイッチＳＷがオンし、コンデンサＣの両端が、スイッチＳＷを介してグランドなどに強制的に接続され、これにより、コンデンサＣにチャージされた電荷が放電される（ホールド回路５Ｂがリセットされる）。
【００４１】
その結果、ディフェクト信号がＨレベルの間は、やはり、ホールド回路５Ｂにおいてボトムホールドは行われず、その出力レベル（ボトムホールド信号）は、０Ｖとなる（但し、スイッチＳＷの一端が接続されている、例えばグランドなどのインピーダンスの低いものの電位を基準として、ボトムホールド信号を見た場合）。
【００４２】
その後、ディフェクト信号がＬレベルになると、スイッチＳＷはオフし、図３で説明したようにして、トラバース信号のボトムホールドが開始され、この場合、ディフェクト信号がＬレベルになった直後においては、コンデンサＣは放電状態となっているので、やはり、ホールド回路５Ｂからは、トラバース信号（トラバース信号の最低レベル）に正確に追従したボトムホールド信号が、即座に出力される。
【００４３】
以上、本発明を、光ディスク装置に適用した場合について説明したが、本発明は、光ディスクの他、例えば光磁気ディスクや光カードその他の記録媒体に対する情報の記録または再生を行う装置に適用可能である。
【００４４】
なお、本実施例においては、ボトムホールドを行うホールド回路５Ｂにのみホールド電圧リセット回路１２を設けて、そのリセットを行うようにしたが、トップホールドを行うホールド回路５Ａについても同様にしてリセットを行うようにすることが可能である。なお、ホールド回路５Ａは、図３または図５において、ダイオードＤおよび電流源Ｉを逆極性に接続して構成される。
【００４５】
また、本実施例では、ホールド回路５ＢにおけるコンデンサＣを放電させるようにしたが、その他、例えば、ディフェクト信号がＨレベルになる直前のコンデンサＣの充電状態を、何らかの方法で保持しておき、ディフェクト信号がＬレベルになったときには、その保持しておいた充電状態からボトムホールド動作を開始させるようにすることなどが可能である。
【００４６】
さらに、ホールド回路５Ｂおよびホールド電圧リセット回路１２は、図３および図５に示したものに限定されるものではない。即ち、ホールド電圧リセット回路１２は、ホールド回路５Ｂの構成によって種々の構成が考えられる（一般的には、ホールド回路５Ｂを構成するコンデンサＣの一端（ボトムホールド信号が現れる方の端子）の電気的な接続を、インピーダンスの低いものに切り換えるような構成とすれば良い）。
【００４７】
【発明の効果】
本発明によれば、再生信号に欠陥があるかどうかが検出され、欠陥がある場合には、ホールド信号を所定のレベルに設定する。従って、例えば、再生信号に欠陥が生じ、その欠陥がなくなった後に、即座に、再生信号の低周波数成分を正確に２値化した信号を得ることが可能となる。
【図面の簡単な説明】
【図１】本発明を適用した光ディスク装置の一実施例の構成を示すブロック図である。
【図２】図１のディフェクト検出回路１１の処理を説明するための波形図である。
【図３】図１のホールド回路５Ｂおよびホールド電圧リセット回路１２の構成例を示す回路図である。
【図４】図３のホールド回路５Ｂおよびホールド電圧リセット回路１２の動作を説明するための波形図である。
【図５】図１のホールド回路５Ｂおよびホールド電圧リセット回路１２の他の構成例を示す回路図である。
【図６】ミラー信号の生成手順を説明するための図である。
【図７】中間値を求める方法を説明するための波形図である。
【図８】従来の光ディスク装置の一例の構成を示すブロック図である。
【図９】再生信号に欠陥が生じたときのトラバース信号、ボトムホールド信号、中間値、およびミラー信号を説明するための波形図である。
【符号の説明】
１  光ディスク，  ３  光ピックアップ（再生手段），  ４  トラバース信号弁別部（低周波数成分検出手段），  ５Ａ，５Ｂ  ホールド回路（ホールド手段）（トップホールド手段）（ボトムホールド手段），  ６  加算器，  ７  乗算器，  ８  コンパレータ（２値化手段），  １１  ディフェクト検出回路（欠陥検出手段），  １２  ホールド電圧リセット回路（リセット手段）
【図１】
0003595992.tif 000002
【図２】
0003595992.tif 000003
【図３】
0003595992.tif 000004
【図４】
0003595992.tif 000005
【図５】
0003595992.tif 000006
【図６】
0003595992.tif 000007
【図７】
0003595992.tif 000008
【図８】
0003595992.tif 000009
【図９】
0003595992.tif 000010